(57)【要約】  電気化学表示素子の画素に黒化パルスを印加することで金属を析出させる黒化工程と、白化パルスを印加することで析出させた金属を溶解させるための白化工程とを備え、電気化学表示素子の表示を更新する場合に、白化工程で、表示を更新する前の黒化工程で金属を析出させてからの経過時間に応じて、白化パルスの印加時間および印加電圧の何れか一方または両方を変化させることで、電気化学表示素子の画素を充分に白化させることができ、かつ、耐久性に優れ、表示の更新時間を短縮することができる電気化学表示素子の駆動方法および情報表示装置を提供することができる。
2010146957.tif 000002
【特許請求の範囲】
【請求項１】
２次元マトリクス状に配置された複数の画素を有し、電気化学反応を利用して、前記画素に金属を析出させ、あるいは前記画素に析出させた前記金属を溶解させて表示を行う電気化学表示素子の駆動方法であって、
前記画素に黒化パルスを印加することで、前記画素に前記金属を析出させる黒化工程と、
前記画素に白化パルスを印加することで、前記画素に析出させた前記金属を溶解させる白化工程とを備え、
前記白化工程は、
前記黒化工程で前記金属を前記画素に析出させてからの経過時間に応じて、前記白化パルスの印加電圧および印加時間の何れか一方または両方を変化させることを特徴とする電気化学表示素子の駆動方法。
【請求項２】
前記白化工程は、
前記黒化工程で前記金属を前記画素に析出させてからの経過時間が長くなると、前記白化パルスの印加時間を長くすることを特徴とする請求項１に記載の電気化学表示素子の駆動方法。
【請求項３】
前記白化工程は、
前記黒化工程で前記金属を前記画素に析出させてからの経過時間が長くなると、前記白化パルスの印加電圧を高くすることを特徴とする請求項１または２に記載の電気化学表示素子の駆動方法。
【請求項４】
前記白化工程は、
前記電気化学表示素子による表示を更新する際に実施され、
前記表示を更新する前の前記黒化工程で前記金属を析出させた前記画素にのみ、前記白化パルスを印加することを特徴とする請求項１から３の何れか１項に記載の電気化学表示素子の駆動方法。
【請求項５】
２次元マトリクス状に配置された複数の画素を有し、電気化学反応を利用して、前記画素に金属を析出させ、あるいは前記画素に析出させた前記金属を溶解させて表示を行う電気化学表示素子を有する表示部と、
前記表示部による表示を制御する表示制御部とを備え、
前記表示制御部は、
前記画素に前記金属を析出させる場合には前記画素に黒化パルスを印加し、
前記画素に析出させた前記金属を溶解させる場合には前記画素に白化パルスを印加し、
前記白化パルスの印加電圧および印加時間の何れか一方または両方を、前記黒化パルスの印加によって前記画素に前記金属を析出させてからの経過時間に応じて変化させることを特徴とする情報表示装置。
【請求項６】
前記金属を前記画素に析出させてからの経過時間が長くなると、前記白化パルスの印加時間を長くすることを特徴とする請求項５に記載の情報表示装置。
【請求項７】
前記金属を前記画素に析出させてからの経過時間が長くなると、前記白化パルスの印加電圧を高くすることを特徴とする請求項５または６に記載の情報表示装置。
【請求項８】
前記表示制御部は、前記金属を析出させた前記画素にのみ、前記白化パルスを印加することを特徴とする請求項５から７の何れか１項に記載の情報表示装置。
【発明の詳細な説明】
【技術分野】
【０００１】
本発明は、電気化学表示素子の駆動方法および情報表示装置に関する。
【背景技術】
【０００２】
近年、視認性に優れ、低消費電力な表示素子が求められている。現在一般に用いられるＣＲＴ、ＰＤＰ、ＬＣＤといった自発光もしくは自発光体から発せられる光を変調するような表示素子は、明るく見やすいが、消費電力が大きいという問題を抱える。低消費電力という観点からは、一端表示した画像を、無電力状態でも保持し続けるメモリ特性を有することが望ましく、さらには駆動電圧が低いことが望まれる。【０００３】
このような特性を備える表示素子として、電極上の酸化還元反応による光吸収状態の可逆変化を利用したエレクトロクロミック表示素子（以下、ＥＣＤ素子と言う）や、金属または金属を化学構造中に有する化合物を含む電解質から、電極上への金属の析出と電解液への溶解とを利用するエレクトロデポジション表示素子（以下、ＥＤ素子と言う）が知られている。【０００４】
ＥＣＤ素子およびＥＤ素子ともに、表示原理としては、電極上での酸化還元反応を利用し、反応物質単独での光吸収の変化を利用したものであり、ＬＣＤに比べ、偏光板やバックライトといった追加部材も不要であり、低コスト化および省プロセス化に非常に有利な表示素子である。【０００５】
中でも、ＥＤ素子は、３Ｖ以下の低電圧で駆動が可能で、簡便なセル構成や、明るいペーパーライクな白と引き締まった黒という優れた表示品位等の特長を持ち、多値の階調表示も可能であり、メモリ性を有するため、表示の保持のために電力を消費しない、といった優れた特性を有する。【０００６】
特許文献１には、ＥＤ素子の駆動方法において、銀を析出させるための析出電圧を印加する時間を制御することで、階調表示を行う方法が開示されている。【０００７】
ＥＤ素子で表示を行うには、最初にＥＤ素子に金属を電解液に溶解させるための白化パルスを印加して全画素を白表示に初期化し、その後に、必要な画素のみに金属を電極上に析出させるための黒化パルスを印加して黒表示にする方法がとられる。表示を更新する場合も、一旦全画素を白表示に初期化してから、必要な画素のみを黒表示にするのが一般的である。
【先行技術文献】
【特許文献】
【０００８】
【特許文献１】特許第３９８５６６７号公報
【発明の概要】
【発明が解決しようとする課題】
【０００９】
しかしながら、ＥＤ素子は、製造時のばらつき、温湿度などの周囲の環境変化あるいは材料の経時変化等により、析出した金属の溶解性が変動する。そのため、全画素を白表示にする場合の黒表示の消え残り防止を考慮して、例えば、「白化パルスの印加時間＝析出した金属が完全に溶解すると想定して設定した時間（設計値）＋マージンα」に設定することが考えられる。【００１０】
しかし、このマージンαが長すぎると、析出した金属が完全に溶解した後も白化パルスを印加し続けるために、ＥＤ素子内で意図しない電気化学反応が起こり、耐久性が低下するという問題がある。【００１１】
本発明は、上記事情に鑑みてなされたもので、電気化学表示素子の画素を充分に白化させることができ、かつ、耐久性に優れ、表示の更新時間を短縮することができる電気化学表示素子の駆動方法および情報表示装置を提供することを目的とする。
【課題を解決するための手段】
【００１２】
本発明の目的を達成するために、電気化学表示素子の駆動方法は、
２次元マトリクス状に配置された複数の画素を有し、電気化学反応を利用して、前記画素に金属を析出させ、あるいは前記画素に析出させた前記金属を溶解させて表示を行う電気化学表示素子の駆動方法であって、
前記画素に黒化パルスを印加することで、前記画素に前記金属を析出させる黒化工程と、
前記画素に白化パルスを印加することで、前記画素に析出させた前記金属を溶解させる白化工程とを備え、
前記白化工程は、
前記黒化工程で前記金属を前記画素に析出させてからの経過時間に応じて、前記白化パルスの印加電圧および印加時間の何れか一方または両方を変化させることを特徴とする。【００１３】
また、本発明の目的を達成するために、情報表示装置は、
２次元マトリクス状に配置された複数の画素を有し、電気化学反応を利用して、前記画素に金属を析出させ、あるいは前記画素に析出させた前記金属を溶解させて表示を行う電気化学表示素子を有する表示部と、
前記表示部による表示を制御する表示制御部とを備え、
前記表示制御部は、
前記画素に前記金属を析出させる場合には前記画素に黒化パルスを印加し、
前記画素に析出させた前記金属を溶解させる場合には前記画素に白化パルスを印加し、
前記白化パルスの印加電圧および印加時間の何れか一方または両方を、前記黒化パルスの印加によって前記金属を前記画素に析出させてからの経過時間に応じて変化させることを特徴とする。
【発明の効果】
【００１４】
本発明によれば、電気化学表示素子に金属を析出させるための黒化パルスを印加する黒化工程と、析出された金属を溶解させるための白化パルスを印加する白化工程とを備え、白化工程において、黒化工程で金属を析出させてからの経過時間に応じて、白化パルスの印加時間および印加電圧の何れか一方または両方を変化させることで、電気化学表示素子の画素を充分に白化させることができ、かつ、耐久性に優れ、表示の更新時間を短縮することができる電気化学表示素子の駆動方法および情報表示装置を提供することができる。
【図面の簡単な説明】
【００１５】
【図１】本発明の実施の形態における情報表示装置の構成の一例を示す外観模式図である。
【図２】本発明の実施の形態における情報表示装置の構成の一例を示す回路ブロック図である。
【図３】第１の実施の形態における表示部の構成の一例を示す回路ブロック図である。
【図４】第１の実施の形態における表示部の表示を１ページ更新する場合の表示動作を示すタイミングチャートである。
【図５】第１の実施の形態における画素の表示の更新動作を示すフローチャートである。
【図６】第１の実施の形態における画素の表示の更新動作を示すタイミングチャートである。
【図７】第２の実施の形態における画素の表示の更新動作を示すフローチャートである。
【図８】第２の実施の形態における画素の表示の更新動作を示すタイミングチャートである。
【図９】第３の実施の形態における画素の表示の更新動作を示すフローチャートである。
【図１０】第３の実施の形態におけるテーブルの一例を示す模式図である。
【図１１】第３の実施の形態における画素の表示の更新動作を示すタイミングチャートである。
【図１２】実施例１の評価用ＥＤ素子の構成を示す模式図である。
【図１３】実施例１の評価のための結線方法を示す模式図である。
【図１４】実施例３の評価用ＥＤ素子の断面を示す模式図である。
【図１５】実施例４の評価のための結線方法を示す模式図である。
【図１６】ＥＤ素子の表示原理を示す模式図である。
【図１７】ＥＤ素子で階調表示を行う方法を示す模式図である。
【発明を実施するための形態】
【００１６】
以下、本発明を図示の実施の形態に基づいて説明するが、本発明は該実施の形態に限らない。なお、図中、同一あるいは同等の部分には同一の番号を付与し、重複する説明は省略する場合がある。
【００１７】
まず、本発明の実施の形態における情報表示装置の構成の一例を、図１および図２を用いて説明する。図１は、本発明の実施の形態における情報表示装置の構成の一例を示す外観模式図である。また、図２は、本発明の実施の形態における情報表示装置の構成の一例を示す回路ブロック図である。なお、図１および図２に示す情報表示装置の構成は、後述する第１から第３の実施の形態に共通のものである。
【００１８】
図１において、情報表示装置１は、その表面に、電気化学表示素子であるエレクトロデポジション表示素子（ＥＤ素子）で構成された表示部１０および操作部５等を備えている。操作部５は、送り操作部５１および戻し操作部５２等で構成され、表示部１０に表示される情報の表示をユーザが操作するためのものである。
【００１９】
図２において、情報表示装置１は、表示制御部２、操作部５、記憶部６、バス９および表示部１０等で構成されている。表示制御部２は、ＣＰＵ３、表示コントローラ４およびＶｃｏｍ駆動回路８等で構成されている。各部は、バス９を介して、あるいは直接に接続されている。
【００２０】
ＣＰＵ３は、記憶部６のＲＯＭに記憶されたプログラムを、記憶部６のＲＡＭ上に展開し、プログラムに従って、表示コントローラ４を介した表示部１０への表示動作や、情報表示装置１の各動作を制御する。
【００２１】
表示コントローラ４は、ＣＰＵ３の制御下で、記憶部６に記憶された情報ファイルの表示部１０への表示を制御するための列選択信号Ｓｓと行選択信号Ｓｇとを表示部１０に供給するとともに、Ｖｃｏｍ駆動回路８を駆動するためのＶｃｏｍ駆動信号ＳｃｏｍをＶｃｏｍ駆動回路８に供給する。表示コントローラ４は、例えばＣＭＯＳ−ＬＳＩやゲートアレイ等のハードウェアロジックやマイクロコンピュータチップ等により構成される。
【００２２】
操作部５の送り操作部５１および戻し操作部５２はＣＰＵ３に接続されている。送り操作部５１あるいは戻し操作部５２が操作されると、表示部１０に表示される情報をページ送りあるいはページ戻しするように表示が更新される。
【００２３】
記憶部６は、プログラムを記憶するＲＯＭ、プログラムを展開するＲＡＭ、情報ファイルを記憶するメモリ部および表示部１０に表示される１ページ分のデータを一時記憶するフレームメモリ等の記憶部材で構成され、ＣＰＵ３や表示コントローラ４の動作に寄与する。
【００２４】
Ｖｃｏｍ駆動回路８は、表示コントローラ４から供給されるＶｃｏｍ駆動信号Ｓｃｏｍに従って、表示部１０の後述するＥＤ素子のコモン電極１１３に印加するコモン電圧Ｖｃｏｍを生成して、表示部１０に供給する。
【００２５】
表示部１０は、ＥＤ素子と周辺回路等とで構成され、表示コントローラ４の制御により、記憶部６に記憶された情報ファイルを表示する。
【００２６】
ここで、ＥＤ素子の表示原理と階調表示を行う方法について、図１６および図１７を用いて簡単に説明する。ここでは、ＥＤ素子１７は２つの画素１１ａと１１ｂとで構成されているとする。
【００２７】
図１６（ａ）および（ｂ）において、ＥＤ素子１７は、駆動基板１０１上に設けられた画素１１ａの画素電極１１１ａおよび画素１１ｂの画素電極１１１ｂと、コモン基板１０３の下に設けられた画素１１ａと１１ｂとに共通のコモン電極１１３とで、電解液１２３に銀イオン１２５が溶解された電解液層１２１を挟み込んだ構造をしている。
【００２８】
コモン電極１１３には、ＩＴＯ（酸化インジウムスズ）電極等の透明電極が用いられ、画素電極１１１ａおよび１１１ｂには、化学的に安定な金属、例えば銀電極が用いられる。
【００２９】
図１６（ａ）において、スイッチＳＷ１が閉じられると、コモン電極１１３のコモン電圧Ｖｃｏｍとして、画素電極１１１ａに対して閾値以上の負の電圧Ｖｂが印加され、コモン電極１１３から電子が注入されてコモン電流Ｉｃｏｍが流れ、コモン電極１１３の画素電極１１１ａに対向する位置に、銀イオン１２５が還元された銀の層１２７が析出される。これをコモン電極１１３側から見ると、銀の層１２７が析出した部分が黒く見える。この時、スイッチＳＷ２はオフであるので、コモン電極１１３と画素電極１１１ｂとの間には電圧は印加されず、銀の層１２７の析出はない。
【００３０】
図１６（ｂ）において、コモン電極１１３のコモン電圧Ｖｃｏｍとして、画素電極１１１ａに対して閾値以上の正の電圧Ｖｗが印加されると、コモン電極１１３の画素電極１１１ａに対向する位置に析出された銀の層１２７が酸化されて銀イオン１２５になり、電解液１２３の内部に溶解される。この時、スイッチＳＷ２はオフであるので、コモン電極１１３と画素電極１１１ｂとの間には電圧は印加されない。
【００３１】
銀の層１２７が銀イオン１２５に変化した状態は、コモン電極１１３側から見ると透明であるため、電解液１２３を白く着色しておく、あるいは画素電極の上に拡散層を設ける等により、白く見える。このようにして白と黒の表示を切り替えることができる。上述したＥＤ素子の画素１１ａおよび１１ｂを駆動基板１０１上に二次元マトリクス状に配置することで、二次元ディスプレイを構成することができる。なお、電解液１２３を白以外の色に着色しておけば、他の色を再現することも可能であり、三原色の画素を配置することでフルカラーの表示も可能となる。
【００３２】
図１６では、説明のためにスイッチＳＷ１およびＳＷ２を用いてＥＤ素子１７の画素１１ａおよび１１ｂに電圧を印加するものとしたが、本実施の形態では、スイッチとして１画素当たり２個のＴＦＴ（薄膜トランジスタ）を用いて画素に電圧を印加する、所謂アクティブマトリクス方式を採用している。
【００３３】
次に、ＥＤ素子で、析出電圧を画素電極に印加する時間を制御して階調表示を行う方法について、図１７を用いて簡単に説明する。
【００３４】
図１７において、コモン電極１１３のコモン電圧Ｖｃｏｍとして、負の析出電圧Ｖｂが印加されると、画素電極１１１ａからコモン電極１１３に向かって、最初に大きく、徐々に小さくなるようなコモン電流Ｉｃｏｍが流れ、コモン電極１１３の画素電極１１１ａに対向する位置に、銀の層１２７が析出される。析出された銀の層１２７をコモン電極１１３の側から見ると、画素１１ａの表示の濃度Ｄは、電圧Ｖｂの印加時間ｔｐが長くなるに従って、白表示Ｗから灰表示Ｇ、黒表示Ｂへと濃く変化する。
【００３５】
従って、電圧Ｖｂの印加時間ｔｐを、灰表示Ｇまでの時間ｔｇあるいは黒表示Ｂまでの時間ｔｂ０に制御することで、白、灰、黒の３値表示が可能となる。そして、濃度Ｄ即ち電圧Ｖｂの印加時間ｔｐをさらに細かく分割することで、３値以上の多値表示も可能である。
【００３６】
なお、以上の説明では、析出される金属として銀を用いたが、銀以外の金属を用いてもよい。
【００３７】
次に、本発明の第１の実施の形態について、図３から図６を用いて説明する。図３は、第１の実施の形態における表示部１０の構成の一例を示す回路ブロック図である。ここでは、説明のために、図の表示部１０の横方向の画素１１の並びを行、縦方向の画素１１の並びを列として、４行×４列＝１６個の画素１１を示すが、表示部１０の全体としては画面を構成するための、より多くの画素１１を備えている。そして、１６個の画素１１について、ｍ行ｎ列に位置する画素１１を画素Ｐｍｎと呼ぶこととする。例えば１行１列に位置する画素１１は画素Ｐ１１、３行２列に位置する画素１１は画素Ｐ３２である。
【００３８】
図３において、表示部１０は、１６個の画素１１（Ｐ１１からＰ４４）、ソースドライバ２１、ゲートドライバ３１等で構成される。１６個の画素１１は、それぞれ、選択トランジスタ１３と駆動トランジスタ１５との２個のＴＦＴおよびＥＤ素子１７等で構成される。
【００３９】
ソースドライバ２１は、表示コントローラ４から供給される列選択信号Ｓｓに従って、表示部１０の各列毎に選択トランジスタ１３のソースに供給されるソース信号Ｓ１、Ｓ２、Ｓ３およびＳ４を出力する。ゲートドライバ３１は、表示コントローラ４から供給される行選択信号Ｓｇに従って、表示部１０の各行毎に選択トランジスタ１３のゲートに供給されるゲート信号Ｇ１、Ｇ２、Ｇ３およびＧ４を出力する。選択トランジスタ１３のドレインは、駆動トランジスタ１５のゲートに接続され、駆動トランジスタ１５のオン、オフを制御する。
【００４０】
ゲートドライバ３１によってゲート信号Ｇ１からＧ４の何れか１本が順次選択されて、選択された行の全ての選択トランジスタ１３がオンされた状態で、ソースドライバ２１によってソース信号Ｓ１からＳ４の何れかに信号が供給される。これを繰り返すことによって、表示部１０の１行目から４行目までを走査しながら駆動トランジスタのオン、オフを制御して、表示を行うことができる。
【００４１】
駆動トランジスタ１５のソースは共通の画素電圧Ｖｄｄに接続されており、駆動トランジスタ１５のドレインは、それぞれの画素１１のＥＤ素子１７の画素電極１１１に接続されている。ＥＤ素子１７のコモン電極１１３は、Ｖｃｏｍ駆動回路８から供給される共通のコモン電圧Ｖｃｏｍに接続されている。
【００４２】
共通の画素電圧Ｖｄｄと共通のコモン電圧Ｖｃｏｍとの間に印加する電圧を制御することで、各画素１１のＥＤ素子１７に白表示あるいは黒表示を行わせることができる。
【００４３】
図４は、図３に示した表示部１０の表示を１ページ更新する場合の表示動作を示すタイミングチャートである。ここでは、図３の画素Ｐ１１、Ｐ２２、Ｐ３３およびＰ４４を黒表示にし、その他の画素１１を白表示のする場合を例にとり、黒表示の画素Ｐ１１、Ｐ２２、Ｐ３３およびＰ４４と白表示の画素Ｐ１２、Ｐ２３、Ｐ３４およびＰ４１の動作を図４に例示する。上述したように、ＥＤ素子での表示においては、最初に全ての画素１１を白表示に初期化し、その後に必要な画素１１のみを黒表示にする。
【００４４】
図４において、タイミングＴで、コモン電圧Ｖｃｏｍが、画素１１を白表示にするための白表示電圧Ｖｗに設定される（Ｖｃｏｍ＝Ｖｗ）。この状態で、ゲート信号Ｇ１からＧ４がパルス幅ｔｐで順次オンされて各行が走査される。ゲート信号Ｇ１からＧ４の走査の間、ソース信号Ｓ１からＳ４は全てオンされており、各画素の駆動トランジスタ１５が行毎に順次オンされて、各画素のＥＤ素子１７に白表示のための白化パルス電圧Ｖｅｄｗが印加される。ここに、白化パルス電圧Ｖｅｄｗは、本実施の形態における白化パルスの印加電圧として機能する。
【００４５】
白表示への初期化のための白化パルス時間ｔｗ経過後、ゲート信号Ｇ１からＧ４がパルス幅ｔｐで順次オンされて各行が走査される。この時、ソース信号Ｓ１からＳ４は全てオフされており、各画素の駆動トランジスタ１５が行毎に順次オフされる。ここに、白化パルス時間ｔｗは、本実施の形態における白化パルスの印加時間として機能する。
【００４６】
これによって、全ての画素１１に、白化パルス時間ｔｗの間、白表示電圧Ｖｗが印加され、全ての画素１１のＥＤ素子１７に白化パルス電圧Ｖｅｄｗが印加されて、全ての画素１１が白表示に初期化される。ここに、白化パルスＰｗは、時間ｔｗの間、電圧Ｖｅｄｗで画素１１のＥＤ素子１７に印加されるパルスである。
【００４７】
次いで、ゲート信号Ｇ４のオフに同期して、コモン電圧Ｖｃｏｍが白表示電圧Ｖｗから初期電圧に戻される。コモン電圧Ｖｃｏｍが白表示電圧Ｖｗに設定されている（Ｖｃｏｍ＝Ｖｗ）間が、本実施の形態における白化工程ＰＲｗである。
【００４８】
所定の待ち時間ｔｋ経過後、コモン電圧Ｖｃｏｍが、画素１１を黒表示にするための黒表示電圧Ｖｂに設定される（Ｖｃｏｍ＝Ｖｂ）。なお、所定の待ち時間ｔｋはなくてもよい。この状態で、ゲート信号Ｇ１からＧ４がパルス幅ｔｐで順次オンされて各行が走査される。この時、ソース信号Ｓ１はゲート信号Ｇ１がオンの時のみオンされ、ソース信号Ｓ２はゲート信号Ｇ２がオンの時のみオン、ソース信号Ｓ３はゲート信号Ｇ３がオンの時のみオン、ソース信号Ｓ４はゲート信号Ｇ４がオンの時のみオンされる。
【００４９】
これによって、画素Ｐ１１、Ｐ２２、Ｐ３３およびＰ４４の駆動トランジスタ１５がオンされて、画素Ｐ１１、Ｐ２２、Ｐ３３およびＰ４４のＥＤ素子１７に黒表示のための黒化パルス電圧Ｖｅｄｂが印加される。その他の画素１１の駆動トランジスタ１５はオフのままであり、ＥＤ素子１７には電圧は印加されない。
【００５０】
ここでは、ゲート信号Ｇ１からＧ４の走査が８回繰り返されることで、ＥＤ素子１７に黒表示のための黒化パルス時間ｔｂの間、黒表示のための黒化パルス電圧Ｖｅｄｂが印加されて黒表示となるものとする。その間、ゲート信号Ｇ１からＧ４の走査に同期して、ソース信号Ｓ１からＳ４もオン、オフされる。
【００５１】
続いて、ゲート信号Ｇ１からＧ４の９回目の走査が行われる。この時、ソース信号Ｓ１からＳ４は全てオフされており、画素Ｐ１１、Ｐ２２、Ｐ３３およびＰ４４の駆動トランジスタ１５が順次オフされる。
【００５２】
これによって、画素Ｐ１１、Ｐ２２、Ｐ３３およびＰ４４に、黒化パルス時間ｔｂの間、黒表示電圧Ｖｂが印加され、画素Ｐ１１、Ｐ２２、Ｐ３３およびＰ４４のＥＤ素子１７に黒化パルス電圧Ｖｅｄｂが印加されて、画素Ｐ１１、Ｐ２２、Ｐ３３およびＰ４４が黒表示となる。その他の画素１１は白表示のままである。ここに、黒化パルスＰｂは、時間ｔｂの間、電圧Ｖｅｄｂで画素１１のＥＤ素子１７に印加されるパルスである。
【００５３】
次いで、ゲート信号Ｇ４のオフに同期して、コモン電圧Ｖｃｏｍが黒表示電圧Ｖｂから初期電圧に戻される。コモン電圧Ｖｃｏｍが黒表示電圧Ｖｂに設定されている（Ｖｃｏｍ＝Ｖｂ）間が、本実施の形態における黒化工程ＰＲｂである。
【００５４】
もし、ゲート信号Ｇ１からＧ４の８回の走査の途中でソース信号をオフとすれば、対応する画素１１を灰表示とすることができ、図１５に述べた階調表示が可能となる。
【００５５】
次に、第１の実施の形態における画素１１の表示の更新動作について、図５および図６を用いて説明する。図５は、第１の実施の形態における画素１１の表示の更新動作を示すフローチャートである。
【００５６】
銀が析出してからの経過時間、つまり黒表示となってからの経過時間が長くなると、析出した銀の溶解性が悪くなるので、析出した銀を溶解させるためには、白化パルス時間ｔｗを長くする、あるいは白表示電圧Ｖｗを高くすることが望ましい。
【００５７】
そこで、第１の実施の形態では、前回表示が更新されてからの経過時間、つまり黒化工程で前回銀を析出させてからの経過時間（以下、表示更新インターバルと言う）ｔｉｎを所定の時間ｔｔｈよりも短いか否かで２つに分類して、所定の時間ｔｔｈよりも短い場合には白化パルス時間ｔｗを短く設定し、所定の時間ｔｔｈよりも長いかｔｔｈと同じ場合には白化パルス時間ｔｗを長く設定する。短い白化パルス時間ｔｗを第１白化パルス時間ｔｗ１、長い白化パルス時間ｔｗを第２白化パルス時間ｔｗ２と呼ぶ。白表示電圧Ｖｗについては、一定値とする。
【００５８】
図５において、ステップＳ１１で、操作部５の送り操作部５１あるいは戻し操作部５２の何れかが操作されたか否かが確認される。操作されなかった場合（ステップＳ１１；Ｎｏ）、操作されるまでステップＳ１１で待機する。操作された場合（ステップＳ１１；Ｙｅｓ）、ステップＳ２１で、表示更新インターバルｔｉｎが所定の時間ｔｔｈよりも短いか否かが確認される。
【００５９】
表示更新インターバルｔｉｎが所定の時間ｔｔｈよりも短い場合（ステップＳ２１；Ｙｅｓ）、ステップＳ３１（第１白化工程）で、全ての画素１１に第１白化パルス時間ｔｗ１の間、白表示電圧Ｖｗが印加される。
【００６０】
表示更新インターバルｔｉｎが所定の時間ｔｔｈよりも長いかｔｔｈと同じ場合（ステップＳ２１；Ｎｏ）、ステップＳ３３（第２白化工程）で、全ての画素１１に第２白化パルス時間ｔｗ２の間、白表示電圧Ｖｗが印加される。
【００６１】
ステップＳ４１で、所定の待ち時間ｔｋだけ待機する。なお、所定の待ち時間ｔｋはなくてもよい。続いて、ステップＳ５１（黒化工程ＰＲｂ）で、黒表示にされる画素１１にのみ黒化パルス時間ｔｂの間、黒表示電圧Ｖｂが印加されて、黒表示が完了する。
【００６２】
ステップＳ６１で、情報表示装置１の電源がオフされたか否かが確認される。オフされた場合（ステップＳ３９；Ｙｅｓ）、そのまま動作が終了される。ＥＤ素子の場合、電源がオフされても表示は消えず、そのまま表示が保持される。オフされなかった場合（ステップＳ３９；Ｎｏ）、ステップＳ１１に戻り、上述した動作が繰り返される。
【００６３】
図６は、第１の実施の形態における画素１１の表示の更新動作を示すタイミングチャートである。ここでは、ｍ行ｎ列に位置する画素Ｐｍｎを例にとって説明する。図６の上半分は、横軸に時間ｔをとり、縦軸に画素ＰｍｎのＥＤ素子１７に印加される電圧Ｖｅｄを示してある。図６の下半分は、横軸に時間ｔをとり、縦軸に画素Ｐｍｎの反射率Ｒを示すとともに、各時間での画素Ｐｍｎの表示のイメージ（黒表示Ｂ、灰表示Ｇおよび白表示Ｗ）を示してある。
【００６４】
図６では、更新動作Ｃｒ１で一度黒表示に更新された画素Ｐｍｎが、所定の時間ｔｔｈよりも短い表示更新インターバルｔｉｎ（ｔｉｎ１とする）後に、更新動作Ｃｒ２で黒表示に更新され、さらに所定の時間ｔｔｈよりも長い表示更新インターバルｔｉｎ（ｔｉｎ２とする）後に、更新動作Ｃｒ３で再度黒表示に更新される場合を例示している。
【００６５】
図６において、タイミングＴ０から第１白化パルス時間ｔｗ１の間、画素Ｐｍｎに白表示電圧Ｖｗが印加されることで、画素ＰｍｎのＥＤ素子１７に白化パルス電圧Ｖｅｄｗが印加される。画素Ｐｍｎは、第１白化パルス時間ｔｗ１よりも短い白化反応時間ｔｒｗ１で、黒表示Ｂから灰表示Ｇを経て白表示Ｗとなる。この時の画素Ｐｍｎの反射率Ｒは白の反射率Ｒｗである。
【００６６】
所定の待ち時間ｔｋ経過後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、更新動作Ｃｒ１での画素Ｐｍｎの表示の黒表示Ｂへの更新動作が完了する。
【００６７】
表示更新インターバルｔｉｎ１経過後に、更新動作Ｃｒ２で画素Ｐｍｎの表示が黒表示に更新される。ここでは、表示更新インターバルｔｉｎ１が所定の時間ｔｔｈよりも短いので、白化パルス時間ｔｗ＝第１白化パルス時間ｔｗ１として、図５のステップＳ３１（第１白化工程）の動作が行われる。
【００６８】
タイミングＴ１から第１白化パルス時間ｔｗ１の間、画素Ｐｍｎに白表示電圧Ｖｗが印加されることで、画素ＰｍｎのＥＤ素子１７に白化パルス電圧Ｖｅｄｗが印加される。画素Ｐｍｎは、第１白化パルス時間ｔｗ１よりも短い白化反応時間ｔｒｗ１で、黒表示Ｂから灰表示Ｇを経て白表示Ｗとなる。この時の画素Ｐｍｎの反射率Ｒは白の反射率Ｒｗである。
【００６９】
所定の待ち時間ｔｋが経過した後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、表示更新インターバルｔｉｎ１経過後の更新動作Ｃｒ２での画素Ｐｍｎの表示の黒表示Ｂへの更新動作が完了する。
【００７０】
次に、表示更新インターバルｔｉｎ２経過後に、更新動作Ｃｒ３で画素Ｐｍｎの表示が黒表示に更新される。ここでは、表示更新インターバルｔｉｎ２が所定の時間ｔｔｈよりも長いので、白化パルス時間ｔｗ＝第２白化パルス時間ｔｗ２として、図５のステップＳ３３（第２白化工程）の動作が行われる。
【００７１】
タイミングＴ２から第２白化パルス時間ｔｗ２の間、画素Ｐｍｎに白表示電圧Ｖｗが印加されることで、画素ＰｍｎのＥＤ素子１７に白化パルス電圧Ｖｅｄｗが印加される。画素Ｐｍｎは、第２白化パルス時間ｔｗ２よりも短い白化反応時間ｔｒｗ２で、黒表示Ｂから灰表示Ｇを経て白表示Ｗとなる。この時の画素Ｐｍｎの反射率Ｒは白の反射率Ｒｗである。
【００７２】
所定の待ち時間ｔｋが経過した後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、表示更新インターバルｔｉｎ２経過後の更新動作Ｃｒ３での画素Ｐｍｎの表示の黒表示Ｂへの更新動作が完了する。
【００７３】
上述したように、第１の実施の形態によれば、ＥＤ素子の画素に黒化パルスを印加することで金属を析出させる黒化工程と、白化パルスを印加することで析出させた金属を溶解させるための白化工程とを備え、ＥＤ素子の表示を更新する場合に、表示を更新する前の黒化工程で金属を析出させてからの経過時間（表示更新インターバル）が所定の時間よりも短い場合には白化パルス時間を短く設定し（第１白化工程）、所定の時間よりも長いか同じ場合には白化パルス時間を長く設定する（第２白化工程）ことで、ＥＤ素子の画素を充分に白化させることができ、かつ、耐久性に優れたＥＤ素子の駆動方法および情報表示装置を提供することができる。
【００７４】
また、表示更新インターバルが所定の時間よりも短い場合には、白化パルス時間を短く設定することができるので、表示の更新時間を短縮することができるＥＤ素子の駆動方法および情報表示装置を提供することができる。
【００７５】
次に、本発明の第２の実施の形態について、図７および図８を用いて説明する。図７は、第２の実施の形態における画素１１の表示の更新動作を示すフローチャートである。
【００７６】
第２の実施の形態では、表示更新インターバルｔｉｎを所定の時間ｔｔｈよりも短いか否かで２つに分類して、所定の時間ｔｔｈよりも短い場合には白表示電圧Ｖｗを低く設定することで、ＥＤ素子１７に印加される白化パルス電圧Ｖｅｄｗを低くし、所定の時間ｔｔｈよりも長いかｔｔｈと同じ場合には白表示電圧Ｖｗを高く設定することで、ＥＤ素子１７に印加される白化パルス電圧Ｖｅｄｗを高くする。
【００７７】
低い白表示電圧Ｖｗを第１白表示電圧Ｖｗ１、低い白化パルス電圧Ｖｅｄｗを第１白化パルス電圧Ｖｅｄｗ１と呼び、高い白表示電圧Ｖｗを第２白表示電圧Ｖｗ２、高い白化パルス電圧Ｖｅｄｗを第２白化パルス電圧Ｖｅｄｗ２と呼ぶ。白化パルス時間ｔｗについては、一定値とする。
【００７８】
図７において、ステップＳ１１およびＳ２１は、図５の第１の実施の形態と同じであるので、説明は省略する。表示更新インターバルｔｉｎが所定の時間ｔｔｈよりも短い場合（ステップＳ２１；Ｙｅｓ）、ステップＳ３５（第１白化工程）で、全ての画素１１に白化パルス時間ｔｗの間、第１白表示電圧Ｖｗ１が印加される。
【００７９】
表示更新インターバルｔｉｎが所定の時間ｔｔｈよりも長いかｔｔｈと同じ場合（ステップＳ２１；Ｎｏ）、ステップＳ３７（第２白化工程）で、全ての画素１１に白化パルス時間ｔｗの間、第２白表示電圧Ｖｗ２が印加される。ステップＳ４１からステップＳ６１までは図５の第１の実施の形態と同じであるので、説明は省略する。
【００８０】
図８は、第２の実施の形態における画素１１の表示の更新動作を示すタイミングチャートである。図８に示す内容は、図６と同じである。
【００８１】
図８において、タイミングＴ０から白化パルス時間ｔｗの間、画素Ｐｍｎに第１白表示電圧Ｖｗ１が印加されることで、画素ＰｍｎのＥＤ素子１７に第１白化パルス電圧Ｖｅｄｗ１が印加される。画素Ｐｍｎは、白化パルス時間ｔｗよりも短い白化反応時間ｔｒｗ１で、黒表示Ｂから灰表示Ｇを経て白表示Ｗとなる。この時の画素Ｐｍｎの反射率Ｒは白の反射率Ｒｗである。
【００８２】
所定の待ち時間ｔｋ経過後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、更新動作Ｃｒ１での画素Ｐｍｎの表示の黒表示Ｂへの更新動作が完了する。
【００８３】
表示更新インターバルｔｉｎ１経過後に、更新動作Ｃｒ２で画素Ｐｍｎの表示が黒表示に更新される。ここでは、表示更新インターバルｔｉｎ１が所定の時間ｔｔｈよりも短いので、白化パルス電圧Ｖｅｄｗ＝第１白化パルス電圧Ｖｅｄｗ１として、図７のステップＳ３５（第１白化工程）の動作が行われる。
【００８４】
タイミングＴ１から白化パルス時間ｔｗの間、画素Ｐｍｎに第１白表示電圧Ｖｗ１が印加されることで、画素ＰｍｎのＥＤ素子１７に第１白化パルス電圧Ｖｅｄｗ１が印加される。画素Ｐｍｎは、白化パルス時間ｔｗよりも短い白化反応時間ｔｒｗ１で、黒表示Ｂから灰表示Ｇを経て白表示Ｗとなる。この時の画素Ｐｍｎの反射率Ｒは白の反射率Ｒｗである。
【００８５】
所定の待ち時間ｔｋが経過した後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、表示更新インターバルｔｉｎ１経過後の更新動作Ｃｒ２での画素Ｐｍｎの表示の黒表示Ｂへの更新動作が完了する。
【００８６】
次に、表示更新インターバルｔｉｎ２経過後に、更新動作Ｃｒ３で画素Ｐｍｎの表示が黒表示に更新される。ここでは、表示更新インターバルｔｉｎ２が所定の時間ｔｔｈよりも長いので、白化パルス電圧Ｖｅｄｗ＝第２白化パルス電圧Ｖｅｄｗ２として、図７のステップＳ３７（第２白化工程）の動作が行われる。
【００８７】
タイミングＴ２から白化パルス時間ｔｗの間、画素Ｐｍｎに第２白表示電圧Ｖｗ２が印加されることで、画素ＰｍｎのＥＤ素子１７に第２白化パルス電圧Ｖｅｄｗ２が印加される。画素Ｐｍｎは、白化パルス時間ｔｗよりも短い白化反応時間ｔｒｗ１で、黒表示Ｂから灰表示Ｇを経て白表示Ｗとなる。この時の画素Ｐｍｎの反射率Ｒは白の反射率Ｒｗである。
【００８８】
所定の待ち時間ｔｋが経過した後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、表示更新インターバルｔｉｎ２経過後の更新動作Ｃｒ３での画素Ｐｍｎの表示の黒表示Ｂへの更新動作が完了する。
【００８９】
上述したように、第２の実施の形態によれば、ＥＤ素子の画素に黒化パルスを印加することで金属を析出させる黒化工程と、白化パルスを印加することで析出させた金属を溶解させるための白化工程とを備え、ＥＤ素子の表示を更新する場合に、表示を更新する前の黒化工程で金属を析出させてからの経過時間（表示更新インターバル）が所定の時間よりも短い場合には白化パルス電圧を低く設定し（第１白化工程）、所定の時間よりも長いか同じ場合には白化パルス電圧を高く設定する（第２白化工程）ことで、ＥＤ素子の画素を充分に白化させることができ、かつ、耐久性に優れたＥＤ素子の駆動方法および情報表示装置を提供することができる。
【００９０】
なお、第１の実施の形態と第２の実施の形態とを合体させて、表示を更新する前の黒化工程で金属を析出させてからの経過時間（表示更新インターバル）が所定の時間よりも短い場合には、白化パルス時間を短くするとともに、白化パルス電圧を低く設定し（第１白化工程）、所定の時間よりも長いか同じ場合には、白化パルス時間を長くするとともに、白化パルス電圧を高く設定する（第２白化工程）ことでもよい。
【００９１】
この場合、表示更新インターバルが所定の時間よりも短い場合には、白化パルス時間を短く設定することができるので、表示の更新時間を短縮することができるＥＤ素子の駆動方法および情報表示装置を提供することができる。
【００９２】
次に、本発明の第３の実施の形態について、図９から図１１を用いて説明する。第３の実施の形態では、表示更新インターバルｔｉｎに対応する白化パルス時間ｔｗと白表示電圧ＶｗとのテーブルＴＢを予め用意し、テーブルＴＢに従って画素１１に白化パルスを印加する。
【００９３】
また、第１および第２の実施の形態では、表示の更新を行う際に、最初に全ての画素１１を白表示に初期化し、その後に必要な画素１１のみを黒表示にする所謂全面リセット方式を用いて説明したが、第２の実施の形態では、表示を更新する前の黒化工程で銀を析出させて黒表示とした画素１１のみを白表示に初期化し、その後に必要な画素１１のみを黒表示にする所謂ネガリセット方式を用いて説明する。
【００９４】
図９は、第３の実施の形態における画素１１の表示の更新動作を示すフローチャートである。
【００９５】
図９において、ステップＳ１１で、操作部５の送り操作部５１あるいは戻し操作部５２の何れかが操作されたか否かが確認される。操作されなかった場合（ステップＳ１１；Ｎｏ）、操作されるまでステップＳ１１で待機する。
【００９６】
操作された場合（ステップＳ１１；Ｙｅｓ）、ステップＳ２３で、テーブルＴＢから、表示更新インターバルｔｉｎに対応する白化パルス時間ｔｗと白表示電圧Ｖｗとの組が読み出される。図１０に、テーブルＴＢの一例を示す。
【００９７】
図１０において、テーブルＴＢには、表示更新インターバルｔｉｎに対応する白化パルス時間ｔｗと白表示電圧Ｖｗとの組み合わせが予め用意されている。例えば、表示更新インターバルｔｉｎ＜２ｓｅｃの場合には、白化パルス時間ｔｗ＝１４００ｍｓｅｃで、白表示電圧Ｖｗ＝１．２Ｖである。表示更新インターバルｔｉｎ≧１０００ｓｅｃの場合には、白化パルス時間ｔｗ＝１６００ｍｓｅｃで、白表示電圧Ｖｗ＝１．６Ｖとなる。第３の実施の形態では、このテーブルＴＢに従って、表示更新インターバルｔｉｎに基づいて白化パルス時間ｔｗと白表示電圧Ｖｗとが制御される。
【００９８】
図９に戻って、ステップＳ３９（白化工程）で、表示を更新する前の黒化工程で黒表示となっている画素１１のみに、ステップＳ２３で読み出された白化パルス時間ｔｗの間、ステップＳ２３で読み出された白表示電圧Ｖｗが印加される。表示を更新する前に白表示だった画素１１には白化パルスは印加されない。ステップＳ４１からＳ６１は、図５と同じであるので、説明は省略する。
【００９９】
図１１は、第３の実施の形態における画素１１の表示の更新動作を示すタイミングチャートである。図１１に示す内容は、図６および図８と同じである。
【０１００】
図１１では、更新動作Ｃｒ１で白表示から黒表示に更新された画素Ｐｍｎが、表示更新インターバルｔｉｎ１後に、更新動作Ｃｒ２で黒表示に更新され、さらに、表示更新インターバルｔｉｎ２後に、更新動作Ｃｒ３で再度黒表示に更新される場合を例示している。図１０のテーブルＴＢで、表示更新インターバルｔｉｎ１に対応する白化パルス時間ｔｗをｔｗ１、白表示電圧ＶｗをＶｗ１とし、表示更新インターバルｔｉｎ２に対応する白化パルス時間ｔｗをｔｗ２、白表示電圧ＶｗをＶｗ２とする。
【０１０１】
図１１において、画素Ｐｍｎは、最初白表示であったとする。第３の実施の形態では、ネガリセット方式のため、更新動作Ｃｒ１では、画素Ｐｍｎには白化パルスＰｗは印加されない。他の黒表示されている画素１１には、更新動作Ｃｒ１の前半で白化パルスＰｗが印加される。
【０１０２】
更新動作Ｃｒ１の後半で、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。以上で、更新動作Ｃｒ１での画素Ｐｍｎの表示の黒表示Ｂへの更新動作が完了する。
【０１０３】
続いて、短い表示更新インターバルｔｉｎ１経過後に、更新動作Ｃｒ２で画素Ｐｍｎの表示が黒表示に更新される。前回の表示の更新で画素Ｐｍｎは黒表示となっているので、今回の表示の更新では画素Ｐｍｎに白化パルスＰｗが印加される。
【０１０４】
タイミングＴ１から、図１０に示したテーブルＴＢから読み出された白化パルス時間ｔｗ１の間、テーブルＴＢから読み出された白表示電圧Ｖｗ１が画素Ｐｍｎに印加されることで、画素ＰｍｎのＥＤ素子１７に白化パルス電圧Ｖｅｄｗ１が印加される。画素Ｐｍｎは、白化パルス時間ｔｗ１よりも短い白化反応時間ｔｒｗ１で、黒表示Ｂから灰表示Ｇを経て白表示Ｗとなる。この時の画素Ｐｍｎの反射率Ｒは白の反射率Ｒｗである。
【０１０５】
所定の待ち時間ｔｋが経過した後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、短い表示更新インターバルｔｉｎ１経過後の更新動作Ｃｒ２での画素Ｐｍｎの表示の黒表示Ｂへの更新動作が完了する。
【０１０６】
次に、表示更新インターバルｔｉｎ２経過後に、更新動作Ｃｒ３で画素Ｐｍｎの表示が黒表示に更新される。タイミングＴ２から、図１０に示したテーブルＴＢから読み出された白化パルス時間ｔｗ１の間、テーブルＴＢから読み出された白表示電圧Ｖｗ２が画素Ｐｍｎに印加されることで、画素ＰｍｎのＥＤ素子１７に白化パルス電圧Ｖｅｄｗ２が印加される。画素Ｐｍｎは、白化パルス時間ｔｗ２よりも短い白化反応時間ｔｒｗ２で、黒表示Ｂから灰表示Ｇを経て白表示Ｗとなる。この時の画素Ｐｍｎの反射率Ｒは白の反射率Ｒｗである。
【０１０７】
所定の待ち時間ｔｋが経過した後に、黒化パルス時間ｔｂの間、画素Ｐｍｎに黒表示電圧Ｖｂが印加されることで、画素ＰｍｎのＥＤ素子１７に黒化パルス電圧Ｖｅｄｂが印加される。画素Ｐｍｎは、黒化パルス時間ｔｂよりも短い黒化反応時間ｔｒｂで、白表示Ｗから灰表示Ｇを経て黒表示Ｂとなる。この時の画素Ｐｍｎの反射率Ｒは黒表示の反射率Ｒｂである。なお、所定の待ち時間ｔｋはなくてもよい。以上で、表示更新インターバルｔｉｎ２経過後の更新動作Ｃｒ３での画素Ｐｍｎの表示の黒表示Ｂへの更新動作が完了する。
【０１０８】
上述したように、第３の実施の形態によれば、ＥＤ素子に金属を析出させるための黒化パルスを印加する黒化工程と、黒化工程で析出された金属を溶解させるための白化パルスを印加する白化工程とを備え、白化工程において、表示更新インターバルに応じた白化パルス時間と白表示電圧との組をテーブルとして予め用意し、表示更新インターバルに基づいてテーブルに用意された白化パルス時間と白表示電圧との組に従って白化パルスを印加することで、ＥＤ素子の画素を充分に白化させることができ、耐久性に優れたＥＤ素子の駆動方法および情報表示装置を提供することができる。
【０１０９】
また、表示更新インターバルが短い場合には、白化パルス時間を短く設定することができるので、表示の更新時間を短縮することができるＥＤ素子の駆動方法および情報表示装置を提供することができる。
【０１１０】
さらに、ネガリセット方式を用いることで、黒表示を行っていない、即ち銀が析出していない画素１１には銀の溶解のための白化パルスが印加されないので、より耐久性に優れたＥＤ素子の駆動方法および情報表示装置を提供することができる。
【０１１１】
なお、第３の実施の形態では、表示更新インターバルに応じた白化パルス時間と白表示電圧との組をテーブルとして予め用意したが、表示更新インターバルｔｉｎと白化パルス時間ｔｗおよび白化パルス電圧Ｖｅｄｗを所定の数式により関連づけ、所定の数式に従って白化パルス時間ｔｗおよび白化パルス電圧Ｖｅｄｗを制御するようにしてもよい。
【０１１２】
以上に述べたように、本発明によれば、ＥＤ素子に金属を析出させるための黒化パルスを印加する黒化工程と、析出された金属を溶解させるための白化パルスを印加する白化工程とを備え、白化工程において、黒化工程で金属を析出させてからの経過時間に応じて、白化パルスの印加電圧および印加時間の何れか一方または両方を変化させることで、ＥＤ素子の画素を充分に白化させることができ、かつ、耐久性に優れ、表示の更新時間を短縮することができるＥＤ素子の駆動方法および情報表示装置を提供することができる。
【０１１３】
なお、本発明に係るＥＤ素子の駆動方法および情報表示装置を構成する各構成の細部構成および細部動作に関しては、本発明の趣旨を逸脱することのない範囲で適宜変更可能である。
【実施例】
【０１１４】
以下に、本発明の実施の形態の詳細な実施例について説明するが、本発明はこれらの実施例に限るものではない。【０１１５】
最初に、本実施例で用いる用語について説明する。【０１１６】
（ＥＤ素子材料）
本実施例において、銀または銀を化学構造中に含む化合物とは、例えば、酸化銀、硫化銀、金属銀、銀コロイド粒子、ハロゲン化銀、銀錯体化合物、銀イオン等の化合物の総称であり、固体状態や液体への可溶化状態や気体状態等の相の状態種、中性、アニオン性、カチオン性等の荷電状態種は、特に問わない。【０１１７】
本実施例の電解液に含まれる銀イオン濃度は、０．２ｍｏｌ／ｋｇ≦［Ａｇ］≦２．０ｍｏｌ／ｋｇが好ましい。銀イオン濃度が０．２ｍｏｌ／ｋｇより少ないと希薄な銀溶液となり駆動速度が遅延し、２ｍｏｌ／ｋｇよりも大きいと溶解性が劣化し、低温保存時に析出が起きやすくなる傾向にあり不利である。【０１１８】
（電解質）
電解質とは、一般に、水などの溶媒に溶けて、その溶液がイオン伝導性を示す物質をいうが、本実施例の説明においては、電解質が他の非電解質の成分を含んでいても構わない。【０１１９】
本実施例の対向電極間に存在させる電解質は、有機溶媒、イオン性液体、酸化還元活性物質、支持電解質、錯化剤、白色散乱物、高分子バインダー等を必要に応じて選択的に含有している。【０１２０】
（低粘度電解質、ゲル状電解質）
電解質は、通常、液体電解質（以下、電解液と言う）とポリマー電解質とに分類される。ポリマー電解質は、さらに、実質的に固体化合物からなる固体電解質と高分子化合物と電解液からなるゲル状電解質とに分類される。流動性の観点からは、固体電解質は実質的に流動性がなく、ゲル電解質は電解液と固体電解質の中間の流動性を有している。【０１２１】
本実施例でいうゲル状電解質とは、室温環境下で高粘性を備え、かつ流動性を有する電解液をいい、例えば、２５℃における粘度が、１００ｍＰａ・ｓｅｃ以上、１０００ｍＰａ・ｓｅｃ以下のゲル状もしくは高粘度電解液を言う。なお、本実施例でいうゲル状電解質は、温度によるゾルゲル変化を生じる特性を必ずしも備えている必要はない。【０１２２】
また、本実施例の低粘度電解液の粘度は、２５℃における粘度が、０．１ｍＰａ・ｓｅｃ以上、１００ｍＰａ・ｓｅｃ未満である電解液をいい、電解質の溶媒に対する高分子バインダーの量が質量比で１０％未満であることが好ましい。【０１２３】
（評価用ＥＤ素子１７の構成）
上述した第１から第３の実施の形態では、画素１１は１画素あたり２個のＴＦＴと１個のＥＤ素子とを用いたアクティブマトリクス方式の素子として説明したが、実施例１から実施例４では、その効果を確認するにあたって、ＴＦＴの特性の影響を排除するために、後述するマトリクス状に配置されたコモン電極１１３と画素電極１１１との交点に画素が形成される単純マトリクス形式のＥＤ素子を用いる。【０１２４】
［実施例１］
以下の方法により、実施例１の評価用ＥＤ素子１７を作製した。【０１２５】
（電解液１２３の作製）
ジメチルスルホキシド（以下、ＤＭＳＯと言う）２．５ｇ中に、ヨウ化ナトリウム９０ｍｇ、ヨウ化銀７５ｍｇを加えて完全に溶解させた後に、平均分子量１５０００のポリビニルピロリドンを１５０ｍｇ加えて、１２０℃に加熱しながら１時間攪拌し、溶液化した。この溶液に、さらに分子量＝１０万のポリエチレングリコール（以下、ＰＥＧと言う）０．２５ｇと酸化チタンの粉末１．２６ｇを混合し、ゲル状の白色電解液１２３を作成した。【０１２６】
（コモン基板１０３の作製）
コモン基板１０３としてガラス基板を用い、コモン基板１０３上に、透明導電膜であるＩＴＯをスパッタ法にて１５０ｎｍの膜厚となるように成膜し、公知のフォトリソグラフィー法によりパターニング処理を行い、電極幅１８０μｍ、電極ピッチ２００μｍの５０本のストライプ状のコモン電極１１３を得た。【０１２７】
実施例１の評価用ＥＤ素子１７のコモン基板１０３およびコモン電極１１３の形状を、図１２（ａ）に示す。ただし、実施例１のコモン基板１０３ではコモン電極１１３は５０本形成されているが、図１２（ａ）では、コモン電極１１３を４本に簡略化して図示している。４本のコモン電極１１３を図の上からＲ１、Ｒ２、Ｒ３およびＲ４とする。また、図中に破線で示した部分は、後述するシールパターン１３３でシールされる部分である。【０１２８】
（駆動基板１０１の作製）
駆動基板１０１としてガラス基板を用い、駆動基板１０１上に、金属電極である銀パラジウム電極（Ｐｄを質量比で２％含む）をスパッタ法にて２００ｎｍの膜厚となるように成膜し、公知のフォトリソグラフィー法によりパターニング処理を行い、電極幅１８０μｍ、電極ピッチ２００μｍの５０本のストライプ状の画素電極１１１を得た。【０１２９】
（開口部１７１の作製）
駆動基板１０１の画素電極１１１の上に、塗布型感光性絶縁膜として、ＪＳＲ社製のＰＣ４０３を用い、これを厚み２μｍとなるようにスピンコータを用いて１０００ｒｐｍで成膜した。露光量２００ｍＪ／ｃｍ２でＵＶパターン露光した。現像は、テトラメチルアンモニウムヒドロキサイド（ＴＭＡＨ２）３８％水溶液で１分。焼成は２２０℃で１時間行った。これにより、絶縁層１３１を得た。絶縁層１３１により、画素電極１１１の開口部（表示部）１７１の大きさを１０ｍｍ×１０ｍｍとした。【０１３０】
（シールパターン１３３の作製）
開口部１７１を作製した駆動基板１０１の絶縁層１３１の外側を囲むようにして、エポキシ樹脂をスクリーン印刷で印刷してシールパターン１３３とした。駆動基板１０１、画素電極１１１、絶縁層１３１、開口部１７１およびシールパターン１３３の形状を、図１２（ｂ）に示す。ただし、実施例１の駆動基板１０１では画素電極１１１は５０本形成されているが、図１２（ｂ）では、画素電極１１１を４本に簡略化して図示している。４本の画素電極１１１を図の左からＣ１、Ｃ２、Ｃ３およびＣ４とする。【０１３１】
（評価用ＥＤ素子１７の作製）
画素電極１１１とコモン電極１１３とを電極のストライプ方向が直交する方向に対向させて、駆動基板１０１とコモン基板１０３とをシールパターン１３３で貼り合わせてシールした。シールした駆動基板１０１とコモン基板１０３との間に、真空注入法で実施例１のゲル状の白色電解液１２３を注入し、注入口をアクリルのＵＶ硬化樹脂で封止して、実施例１の評価用ＥＤ素子１７を作製した。【０１３２】
実施例１の評価用ＥＤ素子１７の断面を図１２（ｃ）に示す。図１２（ｃ）は、図１２（ａ）および図１２（ｂ）のＡ−Ａ’断面である。シールパターン１３３で貼り合わされた駆動基板１０１とコモン基板１０３との間に電解液１２３が封止されており、電解液１２３を挟んで、画素電極１１１とコモン電極１１３とが電極のストライプ方向が直交する方向に対向している。画素電極１１１の開口部（表示部）１７１の大きさは、絶縁層１３１によって決定されている。【０１３３】
（評価用ＥＤ素子１７の素子特性評価）
このようにして得られた実施例１の評価用ＥＤ素子１７を用いて、表示更新インターバルｔｉｎと画素１１が白化するための条件（白化反応時間ｔｒｗと白化パルス電圧Ｖｅｄｗ）との関係を調べた。実施例１においては、作製した実施例１の評価用ＥＤ素子１７の全ての画素１１を並列に結線し、全ての画素１１に同時に白化パルスＰｗを印加した。【０１３４】
図１３に、実施例１の評価のための結線方法を示す。評価用ＥＤ素子１７の中央には開口部（表示部）１７１が設けられ、その周囲にコモン電極Ｒ１からＲ５０および画素電極Ｃ１からＣ５０が設けられている。コモン電極Ｒ１からＲ５０は全て１本に結線され、パルス電源ＰＳの一方の端子に接続されている。画素電極Ｃ１からＣ５０も同様に全て１本に結線され、パルス電源ＰＳの他方の端子に接続されている。【０１３５】
パルス電源ＰＳにより、表示更新インターバルｔｉｎ毎に、図４に示したように、以下の条件で、白化パルスＰｗを印加し、直後に黒化パルスＰｂを印加して表示の更新動作を行わせた。表示更新インターバルｔｉｎおよび黒化パルスＰｂの条件は、
表示更新インターバルｔｉｎ＝１ｓｅｃ、１０ｓｅｃ、６０ｓｅｃ、３００ｓｅｃ、１８００ｓｅｃ、３６００ｓｅｃの６段階
黒化パルス時間ｔｂ＝８００ｍｓｅｃ
黒化パルス電圧Ｖｅｄｂ＝−１．５Ｖ
である。【０１３６】
白化パルス電圧Ｖｅｄｗ毎に、白化パルスＰｗの印加時間を変えて、開口部（表示部）１７１が完全に白化する白化反応時間ｔｒｗを求めた。白化パルス電圧Ｖｅｄｗは、
白化パルス電圧Ｖｅｄｗ＝０．４Ｖ、０．６Ｖ、０．８Ｖ、１．０Ｖ、１．２Ｖ、１．４Ｖ、１．６Ｖ、１．８Ｖの８段階
である。【０１３７】
白化の判定は、図１３に破線で示した開口部（表示部）１７１（１０ｍｍ×１０ｍｍ）の中心部φ８ｍｍの反射率測定エリアＲＥ内の反射率および目視結果から判断した。評価の結果を表１に示す。【０１３８】
【表１】
2010146957.tif 000003
【０１３９】
表１の結果から、例えば、各表示更新インターバルｔｉｎにおいて、白化パルス電圧Ｖｅｄｗ＝１．２Ｖの場合の白化反応時間ｔｒｗは、
ｔｉｎ＝１ｓｅｃで、ｔｒｗ＝１１００ｍｓｅｃ
ｔｉｎ＝１０ｓｅｃで、ｔｒｗ＝１５００ｍｓｅｃ
ｔｉｎ＝６０ｓｅｃで、ｔｒｗ＝２１００ｍｓｅｃ
ｔｉｎ＝３００ｓｅｃで、ｔｒｗ＝２４００ｍｓｅｃ
ｔｉｎ＝１８００ｓｅｃで、ｔｒｗ＝２６００ｍｓｅｃ
ｔｉｎ＝３６００ｓｅｃで、ｔｒｗ＝２６２０ｍｓｅｃ
であった。【０１４０】
（実施例の効果の検証）
表１の結果から、実施例１の好ましい白化パルスの印加条件と比較例とについて、評価用ＥＤ素子１７を用いて検証を行った。結果を表２に示す。【０１４１】
【表２】
2010146957.tif 000004
【０１４２】
（実施例１−１）
白化パルス電圧Ｖｅｄｗ＝１．２Ｖに固定
表示更新インターバルｔｉｎ＝１ｓｅｃ、１０ｓｅｃ、６０ｓｅｃ、３００ｓｅｃ、１８００ｓｅｃ、３６００ｓｅｃの６段階をランダムに設定
白化パルス時間ｔｗ＝表１で得られた、各表示更新インターバルｔｉｎに対応した白化パルス電圧Ｖｅｄｗ＝１．２Ｖでの白化反応時間ｔｒｗの値＋３００ｍｓｅｃ
として、１０００回の駆動を行い、１回目駆動後と１０００回目駆動後との開口部（表示部）１７１のコントラストを測定した。結果は、１回目駆動後が１０．３、１０００回目駆動後が１０．５と、変化なかった。【０１４３】
ここに、コントラストとは、開口部（表示部）１７１（１０ｍｍ×１０ｍｍ）の中心部φ８ｍｍの反射率測定エリアＲＥ内の白表示時のＹ値（％）／黒表示時のＹ値（％）のことである。Ｙ値≒反射率であるので、コントラスト＝白表示時の反射率Ｒｗ／黒表示時の反射率Ｒｂである。以下の各実施例でも同じである。反射率Ｒの測定は、コモン基板１０３側から行った。【０１４４】
（比較例１）
実施例１−１に対して、
表示更新インターバルｔｉｎ＝１ｓｅｃに固定
白化パルス時間ｔｗ＝２９２０ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．２と、実施例１−１と大差なかったが、１０００回目駆動後は３．３となり、表示性能が明らかに低下した。【０１４５】
（比較例２）
実施例１−１に対して、
白化パルス時間ｔｗ＝２２００ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．２と、実施例１−１と大差なかったが、１０００回目駆動後は素子内に気泡が発生し、素子が破壊した。【０１４６】
（実施例１−２）
実施例１−１から、
白化パルス電圧Ｖｅｄｗ＝１．６Ｖに変更
とし、その他の条件は同一として、１０００回の駆動を行い、１回目駆動後と１０００回目駆動後との開口部（表示部）１７１のコントラストを測定した。結果は、１回目駆動後が９．９、１０００回目駆動後が１０．２と、実施例１−１と大差なかった。【０１４７】
（比較例３）
実施例１−２に対して、
表示更新インターバルｔｉｎ＝１ｓｅｃに固定
白化パルス時間ｔｗ＝１５８０ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．５と、実施例１−２と大差なかったが、１０００回目駆動後は２．１となり、表示性能が明らかに低下した。【０１４８】
（比較例４）
実施例１−２に対して、
白化パルス時間ｔｗ＝１１５０ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．３と、実施例１−２と大差なかったが、１０００回目駆動後は素子内に気泡が発生し、素子が破壊した。【０１４９】
（実施例１−３）
白化パルス時間ｔｗ＝１６００ｍｓｅｃに固定
表示更新インターバルｔｉｎ＝１ｓｅｃ、１０ｓｅｃ、６０ｓｅｃ、３００ｓｅｃ、１８００ｓｅｃ、３６００ｓｅｃの６段階をランダムに設定
白化パルス電圧Ｖｅｄｗ＝表１の結果から求められる、各表示更新インターバルｔｉｎに対応した白化反応時間ｔｒｗ＝１３００ｍｓｅｃで白化可能な白化パルス電圧Ｖｅｄｗに設定として、１０００回の駆動を行い、１回目駆動後と１０００回目駆動後との開口部（表示部）１７１のコントラストを測定した。結果は、１回目駆動後が１０．３、１０００回目駆動後が１０．５と、実施例１−１と大差なかった。【０１５０】
（比較例５）
実施例１−３に対して、
表示更新インターバルｔｉｎ＝１ｓｅｃに固定
白化パルス電圧Ｖｅｄｗ＝１．６Ｖに固定
とし、その他の条件は同一として、１０００回の駆動を行い、１回目駆動後と１０００回目駆動後との開口部（表示部）１７１のコントラストを測定した。結果は、１回目駆動後は１０．２と、実施例１−３と大差なかったが、１０００回目駆動後は１．９となり、表示性能が明らかに低下した。【０１５１】
以上の結果から、表示更新インターバルｔｉｎに応じて白化パルス時間ｔｗまたは白化パルス電圧Ｖｅｄｗのどちらか一方あるいは両方を変化させることで、ＥＤ素子を完全に白化させることができ、耐久性に優れたＥＤ素子の駆動方法を提供することができることが確認された。【０１５２】
［実施例２］
以下の方法により、実施例２の評価用ＥＤ素子１７を作製した。【０１５３】
（電解液１２３の作製）
ＤＭＳＯ１．２５ｇとガンマブチロラクトン（γＢＬ）１．２５ｇ中に、臭化リチウム９０ｍｇ、ヨウ化銀７５ｍｇを加えて完全に溶解させた後に、平均分子量１５０００のポリビニルピロリドンを２２５ｍｇ加えて、１２０℃に加熱しながら１時間攪拌し溶液化した。この溶液に、分子量＝１０万のＰＥＧ０．３７５ｇと、酸化チタンの粉末１．８９ｇとを混合し、ゲル状の白色電解液１２３を作成した。実施例２の評価用ＥＤ素子１７は、電解液１２３以外は、実施例１と同じである。【０１５４】
実施例１の電解液１２３と比較して、酸化チタンを増量しているため、白表示の反射率Ｒｗが約２割向上した。ただし、酸化チタンの沈降を防止するためのＰＥＧも増量しているため、電解液１２３の粘度が増し、白化反応時間ｔｒｗが約１割長くなった。【０１５５】
（評価用ＥＤ素子１７の素子特性評価）
このようにして得られた実施例２の評価用ＥＤ素子１７を用いて、表示更新インターバルｔｉｎと画素１１が白化するための条件（白化反応時間ｔｒｗと白化パルス電圧Ｖｅｄｗ）との関係を調べた。評価方法および評価条件は、黒化パルスＰｂの条件を除き、実施例１と同じである。黒化パルスＰｂの条件は、
黒化パルス時間ｔｂ＝９００ｍｓｅｃ
黒化パルス電圧Ｖｅｄｂ＝−１．５Ｖ
である。評価の結果を表３に示す。【０１５６】
【表３】
2010146957.tif 000005
【０１５７】
表３の結果から、例えば、各表示更新インターバルｔｉｎにおいて、白化パルス電圧Ｖｅｄｗ＝１．２Ｖの場合の白化反応時間ｔｒｗは、
ｔｉｎ＝１ｓｅｃで、ｔｒｗ＝１２００ｍｓｅｃ
ｔｉｎ＝１０ｓｅｃで、ｔｒｗ＝１６５０ｍｓｅｃ
ｔｉｎ＝６０ｓｅｃで、ｔｒｗ＝２６５０ｍｓｅｃ
ｔｉｎ＝３００ｓｅｃで、ｔｒｗ＝４０００ｍｓｅｃ
ｔｉｎ＝１８００ｓｅｃで、ｔｒｗ＝２９００ｍｓｅｃ
ｔｉｎ＝３６００ｓｅｃで、ｔｒｗ＝２９００ｍｓｅｃ
であった。【０１５８】
（実施例の効果の検証）
表３の結果から、実施例２の好ましい白化パルスの印加条件と比較例とについて、評価用ＥＤ素子１７を用いて検証を行った。結果を表４に示す。【０１５９】
【表４】
2010146957.tif 000006
【０１６０】
（実施例２）
白化パルス電圧Ｖｅｄｗ＝１．２Ｖに固定
表示更新インターバルｔｉｎ＝１ｓｅｃ、１０ｓｅｃ、６０ｓｅｃ、３００ｓｅｃ、１８００ｓｅｃ、３６００ｓｅｃの６段階をランダムに設定
白化パルス時間ｔｗ＝表３で得られた、各表示更新インターバルｔｉｎに対応した白化パルス電圧Ｖｅｄｗ＝１．２Ｖでの白化反応時間ｔｒｗの値＋３００ｍｓｅｃ
として、１０００回の駆動を行い、１回目駆動後と１０００回目駆動後との開口部（表示部）１７１のコントラストを測定した。結果は、１回目駆動後が１０．７、１０００回目駆動後が１０．８と、変化なかった。【０１６１】
（比較例６）
実施例２に対して、
表示更新インターバルｔｉｎ＝１ｓｅｃに固定
白化パルス時間ｔｗ＝３２００ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．８と、実施例２と大差なかったが、１０００回目駆動後は３．９となり、表示性能が明らかに低下した。【０１６２】
（比較例７）
実施例２に対して、
白化パルス時間ｔｗ＝２４００ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．１と、実施例２と大差なかったが、１０００回目駆動後は素子内に気泡が発生し、素子が破壊した。【０１６３】
以上の結果から、表示更新インターバルｔｉｎに応じて白化パルス時間ｔｗを変化させることで、ＥＤ素子を完全に白化させることができ、耐久性に優れたＥＤ素子の駆動方法を提供することができることが確認された。【０１６４】
［実施例３］
以下の方法により、実施例３の評価用ＥＤ素子１７を作製した。【０１６５】
（電解液１２３の作製）
ＤＭＳＯ２．５ｇ中に、ヨウ化ナトリウム９０ｍｇ、ヨウ化銀７５ｍｇを加えて完全に溶解させた後に、平均分子量１５０００のポリビニルピロリドンを１５０ｍｇ加えて１２０℃に加熱しながら１時間攪拌し溶液化することで、透明な電解液１２３を得た。【０１６６】
（評価用ＥＤ素子１７の作製）
実施例１と同様にして開口部１７１を作製した後、その上に、ポリビニルアルコール（ＰＶＡ）水溶液に二酸化チタンの粒子を分散させたインクをスクリーン印刷で形成し、８０℃で乾燥させて、白色散乱層１７３を形成した。その上にビーズスペーサ１７５（φ２５μｍのシリカ球）を散布した。【０１６７】
白色散乱層１７３を作製した駆動基板１０１の上に、エポキシ樹脂をスクリーン印刷で印刷してシールパターンとした。画素電極１１１とコモン電極１１３とを電極のストライプパターンが直交する方向に対向させて、駆動基板１０１とコモン基板１０３とをシールパターンで貼り合わせてシールした。【０１６８】
シールした駆動基板１０１とコモン基板１０３との間に、真空注入法で実施例３の透明電解液１２３を注入し、注入口をアクリルのＵＶ硬化樹脂で封止して、実施例３の評価用ＥＤ素子１７を作製した。実施例３の評価用ＥＤ素子１７は、上記以外は実施例１の評価用ＥＤ素子１７と同じである。実施例３の評価用ＥＤ素子１７の断面を図１４に示す。【０１６９】
（評価用ＥＤ素子１７の素子特性評価）
このようにして得られた実施例３の評価用ＥＤ素子１７を用いて、表示更新インターバルｔｉｎと画素１１が白化するための条件（白化反応時間ｔｒｗと白化パルス電圧Ｖｅｄｗ）との関係を調べた。評価方法および評価条件は、黒化パルスＰｂの条件を除き、実施例１と同じである。黒化パルスＰｂの条件は、
黒化パルス時間ｔｂ＝１６００ｍｓｅｃ
黒化パルス電圧Ｖｅｄｂ＝−１．５Ｖ
である。評価の結果を表５に示す。【０１７０】
【表５】
2010146957.tif 000007
【０１７１】
表５の結果から、例えば、各表示更新インターバルｔｉｎにおいて、白化パルス電圧Ｖｅｄｗ＝１．２Ｖの場合の白化反応時間ｔｒｗは、
ｔｉｎ＝１ｓｅｃで、ｔｒｗ＝１８００ｍｓｅｃ
ｔｉｎ＝１０ｓｅｃで、ｔｒｗ＝２４５０ｍｓｅｃ
ｔｉｎ＝６０ｓｅｃで、ｔｒｗ＝３５５０ｍｓｅｃ
ｔｉｎ＝３００ｓｅｃで、ｔｒｗ＝４０００ｍｓｅｃ
ｔｉｎ＝１８００ｓｅｃで、ｔｒｗ＝４２５０ｍｓｅｃ
ｔｉｎ＝３６００ｓｅｃで、ｔｒｗ＝４３００ｍｓｅｃ
であった。【０１７２】
（実施例の効果の検証）
表５の結果から、実施例３の好ましい白化パルスの印加条件と比較例とについて、評価用ＥＤ素子１７を用いて検証を行った。結果を表６に示す。【０１７３】
【表６】
2010146957.tif 000008
【０１７４】
（実施例３）
白化パルス電圧Ｖｅｄｗ＝１．２Ｖに固定
表示更新インターバルｔｉｎ＝１ｓｅｃ、１０ｓｅｃ、６０ｓｅｃ、３００ｓｅｃ、１８００ｓｅｃ、３６００ｓｅｃの６段階をランダムに設定
白化パルス時間ｔｗ＝表５で得られた、各表示更新インターバルｔｉｎに対応した白化パルス電圧Ｖｅｄｗ＝１．２Ｖでの白化反応時間ｔｒｗの値＋３００ｍｓｅｃ
として、１０００回の駆動を行い、１回目駆動後と１０００回目駆動後との開口部（表示部）１７１のコントラストを測定した。結果は、１回目駆動後が１０．６、１０００回目駆動後が１０．５と、変化なかった。【０１７５】
（比較例８）
実施例３に対して、
表示更新インターバルｔｉｎ＝１ｓｅｃに固定
白化パルス時間ｔｗ＝４６００ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．８と、実施例３と大差なかったが、１０００回目駆動後は２．２となり、表示性能が明らかに低下した。【０１７６】
（比較例９）
実施例３に対して、
白化パルス時間ｔｗ＝３６５０ｍｓｅｃに固定
とし、その他の条件は同一として、１０００回の駆動を行い、１回目駆動後と１０００回目駆動後との開口部（表示部）１７１のコントラストを測定した。結果は、１回目駆動後は１０．５と、実施例３と大差なかったが、１０００回目駆動後は素子内に気泡が発生し、素子が破壊した。【０１７７】
以上の結果から、表示更新インターバルｔｉｎに応じて白化パルス時間ｔｗを変化させることで、ＥＤ素子を完全に白化させることができ、耐久性に優れたＥＤ素子の駆動方法を提供することができることが確認された。また、電解液１２３の組成、評価用ＥＤ素子１７の構成にかかわらず、本実施例の有効性が確認された。【０１７８】
［実施例４］
実施例４では、実施例１の評価用ＥＤ素子１７を用いて、ネガリセット方式の効果を確認した。結果を表７に示す。【０１７９】
【表７】
2010146957.tif 000009
【０１８０】
（実施例４）
図１５に、実施例４の評価のための結線方法を示す。実施例４においては、コモン電極Ｒ１からＲ５０および偶数の画素電極Ｃ２からＣ５０が全て１本に結線され、パルス電源ＰＳの一方の端子に接続されている。奇数の画素電極Ｃ１からＣ４９も同様に１本に結線され、パルス電源ＰＳの他方の端子に接続されている。【０１８１】
これによって、実施例４では、実施例１の評価用ＥＤ素子１７の２５本の奇数列の画素が白表示と黒表示とを繰り返し、２５本の偶数列の画素は白表示のままとなるので、ネガリセット方式の検証が行える。その他の条件は同一として、１００００回の駆動を行い、１回目駆動後、１０００回目駆動後および１００００回目駆動後の開口部（表示部）１７１のコントラストを測定した。結果は、１回目駆動後が５．１、１０００回目駆動後が５．３、１００００回目駆動後が５．２と、変化なかった。【０１８２】
実施例４のコントラストが実施例１−１の１／２しかないのは、駆動されている画素数が１／２のため、黒表示を行っている時でも、開口部（表示部）１７１全体では灰表示となっているためである。従って、白表示と黒表示とを繰り返している画素のみのコントラストは、上記の結果の２倍と考えてよい。【０１８３】
（実施例１−１−１）
比較のために、全面リセット方式で駆動されている実施例１−１についても、１００００回目まで駆動を継続して、１００００回目駆動後のコントラストを測定した。結果は、１回目駆動後が１０．１、１０００回目駆動後が９．１と、実施例４の白表示と黒表示とを繰り返している画素のみのコントラストと大差なかったが、１００００回目駆動後が５．１となり、表示性能が明らかに低下した。
【符号の説明】
【０１８４】
１  情報表示装置
２  表示制御部
３  ＣＰＵ
４  表示コントローラ
５  操作部
５１  送り操作部
５２  戻し操作部
６  記憶部
８  Ｖｃｏｍ駆動回路
９  バス
１０  表示部
１１  画素
１７  ＥＤ素子
２１  ソースドライバ
３１  ゲートドライバ
１０１  駆動基板
１０３  コモン基板
１１１  画素電極
１１３  コモン電極
１２１  電解液層
１２３  電解液
１２５  銀イオン
Ｇ１、Ｇ２、Ｇ３、Ｇ４  ゲート信号
Ｓ１、Ｓ２、Ｓ３、Ｓ４  ソース信号
Ｐｍｎ  （ｍ行ｎ列の）画素
Ｓｓ  列選択信号
Ｓｇ  行選択信号
Ｓｃｏｍ  Ｖｃｏｍ駆動信号
ｔｉｎ  表示更新インターバル
Ｐｂ  黒化パルス
Ｐｗ  白化パルス
ＰＲｂ  黒化工程
ＰＲｗ  白化工程
ｔｂ  黒化パルス時間
ｔｋ  所定の待ち時間
ｔｗ  白化パルス時間
ｔｒｗ  白化反応時間
ｔｒｂ  黒化反応時間
Ｖｂ  黒表示電圧
Ｖｗ  白表示電圧
Ｖｅｄｂ  黒化パルス電圧
Ｖｅｄｗ  白化パルス電圧
Ｉｃｏｍ  コモン電流
Ｖｃｏｍ  コモン電圧
【図１】
2010146957.tif 000010
【図２】
2010146957.tif 000011
【図３】
2010146957.tif 000012
【図４】
2010146957.tif 000013
【図５】
2010146957.tif 000014
【図６】
2010146957.tif 000015
【図７】
2010146957.tif 000016
【図８】
2010146957.tif 000017
【図９】
2010146957.tif 000018
【図１０】
2010146957.tif 000019
【図１１】
2010146957.tif 000020
【図１２】
2010146957.tif 000021
【図１３】
2010146957.tif 000022
【図１４】
2010146957.tif 000023
【図１５】
2010146957.tif 000024
【図１６】
2010146957.tif 000025
【図１７】
2010146957.tif 000026
【国際調査報告】
2010146957.tif 000027
2010146957.tif 000028